(57)【要約】流体迅速コネクタは、管状の端末部を受けるようにされた貫通穴２２を有するコネクタハウジング２０を具備する。保持具１０は、前記端末部と係合するようにコネクタハウジング２０を通して横方向に設置可能である。少なくとも１つの、角度をもった端部突起を有する保持クリップ１００は、保持クリップ１００との実質的な接触なしにコネクタハウジング２０に対して前記端末部が挿入される間に、前記端末部との最終のラッチポジションに対する移動のために、保持具１０に設けられる。保持クリップ１００は、少なくとも１つの、それから延びる角度をもった突起を有する平坦な本体の形状である。好ましくは、角度をもった複数の突起が、保持クリップ１００に形成される。その保持クリップ１００は、コネクタハウジング２０と関連した保持具１０の移動と同時の移動のために、保持具１０にしっかりと固定され、又は、保持具に挿入モールドされる。
2005522658.tif 000002
【特許請求の範囲】
【請求項１】
第１の外径表面を有する端末部との接続のための流体迅速コネクタであって、対向する第１及び第２の端の間に延びる貫通穴を有し、前記端末部がそのハウジングの第１の端、そのハウジングの第２の端を通る穴に挿入可能にされているハウジングと、
前記端末部を係合して前記ハウジングの穴に対する前記端末部の挿入方向とは反対の前記端末部の移動を防止するようにした少なくとも１つの外方に延びる突起を有する保持クリップと、
前記ハウジングの穴に対する前記端末部の挿入通路から離間した第１のポジションと、前記端末部と係合した第２のポジションに対する保持具の移動と同時の第２のポジションとの間を移動するための保持具に設けられた保持クリップを前記ハウジング内に設置可能な保持具とを有する流体迅速コネクタ。
【請求項２】
前記保持クリップが、前記保持具と一体に設けられている前記請求項１記載の流体迅速コネクタ。
【請求項３】
前記保持クリップが、前記保持具に固定された第１部分を有し、少なくとも１つの前記突起は、その第１部分から片持ちされている前記請求項２記載の流体迅速コネクタ。
【請求項４】
前記保持クリップが、前記保持具にしっかりと結合されている前記請求項２記載の流体迅速コネクタ。
【請求項５】
前記保持クリップは、前記保持具に挿入モールドされ、少なくとも１つの前記突起は、前記保持具が前記第２の設置ポジションにあるときに前記保持具から前記ハウジングの穴に延びている前記請求項４記載の流体迅速コネクタ。
【請求項６】
前記保持クリップは、前記保持具に固定された第１端を有する平坦な本体を具備し、少なくとも１つの前記突起は、前記第１端から延びている前記請求項１記載の流体迅速コネクタ。
【請求項７】
さらに、前記ハウジング穴に対して横方向に延びる前記保持具の一端と、前記端から延びる少なくとも第1の脚とを有する前記請求項６記載の流体迅速コネクタ。
【請求項８】
さらに、前記保持クリップが、前記端から延びる１対の側脚と、少なくとも１つの前記端部分及び前記側脚に形成された突起とを具備する前記請求項６記載の流体迅速コネクタ。
【請求項９】
前記突起が、前記保持クリップの一端に設けられている前記請求項８記載の流体迅速コネクタ。
【請求項１０】
少なくとも１つの前記突起は、少なくとも１つの前記側脚に設けられている前記請求項８記載の流体迅速コネクタ。
【請求項１１】
少なくとも１つの前記突起は、複数の突起を具備し、これらの複数の突起の少なくとも１つは、前記それぞれの一端及び前記保持クリップのそれぞれの側脚に設けられている前記請求項８記載の流体迅速コネクタ。
【請求項１２】
さらに、前記端末部の外径よりも小さい外径で配置される前記複数の突起の内端を具備する前記請求項１１記載の流体迅速コネクタ。
【請求項１３】
さらに、内端を有する前記保持クリップにおける少なくとも１つの突起と、前記少なくとも１つの突起の内端と端末部との間に実質的に接することなく前記ハウジングの穴に対して前記端末部を挿入させる、一時的な設置ポジシションにおけるハウジングに設置可能な前記保持具とを具備する前記請求項１記載の流体迅速コネクタ。
【請求項１４】
少なくとも１つの前記突起は、前記端末部に関して、所定の、直角でない角度をもって配置された内端を有する前記請求項１記載の流体迅速コネクタ。
【請求項１５】
少なくとも１つの前記突起の内端は、前記ハウジングの第２端に向かって角度を有している前記請求項１４記載の単独迅速コネクタ。
【発明の詳細な説明】
【技術分野】
【０００１】
この発明は、概して、２つの流体適用要素部品を一体に結合する流体迅速コネクタに関する。
【背景技術】
【０００２】
スナップ嵌め、又は迅速コネクタは、特に自動車及び産業用用途における流体輸送導管を接続するための広い範囲の用途で利用されている。このような迅速コネクタは、管状導管のような第１のコネクタ要素部品を第２のコネクタ要素部品、又はハウジングの相補的な穴内に固定するための保持具、又はロッキングエレメントを使用している。このような保示具は、一般的に、軸方向に移動可能、又は半径方向に移動可能のいずれかである。これらの用語、「軸方向に移動可能」、又は「半径方向に移動可能」というのは、前記第２の要素部品を介して前記軸方向の穴に関して用いられている。
【０００３】
軸方向に移動可能な保持具を有する代表的な迅速コネクタにおいて、その保持具は、前記ハウジングの第２コネクタ要素部品のハウジング内における穴内に設けられる。その保持具は、複数本の半径方向に角度がついて延びている、前記ハウジング内の穴の軸方向の中心線に向かって内方に延在する脚を有する。前記第２の要素部品の穴内にシールして設けられる細管、又は雄要素部品は、前記保持具の脚の内周面に接合する半径方向に反転する部分、またはフランジを有する。ベアリング又はシルクハットと同様に、シール及びスペーサメンバーが、一般的に、前記第１のコネクタ要素部品が、ハウジング内の保持具脚と固定的に係合されるときに、前記保持具の前方に向かって前記穴内に設けられて、前記ハウジングと第１コネクタ要素部品との間にシールを形成する。
【０００４】
半径方向に移動可能な保持具も、周知のように、その保持具が、第２コネクタ要素部品ハウジングの主貫通穴に対して横断方向に形成された整列した穴又は開口を通して半径方向に移動可能である。この半径方向に移動可能な保持具は、一般的に、その導管が前記第２の要素部品における穴内に充分にシールされるときにのみ第１の要素部品、又は導管の半径方向に反転する部分、又はフランジのうしろに摺動するように寸法取りされ、かつ配置される１対の垂下がる脚を備えている。このことは、その導管が第２の要素部品内の穴に充分に挿入されたときにのみ半径方向に移動可能な保持具が第２の要素部品内に充分挿入されることができるので、導管が充分に固定されることを示すことを提供するのと同様に、導管の第２の要素部品との明確な固定的係合を確実にするものである。
【０００５】
フランジレスの端末部を用いた迅速コネクタの他のタイプにおいては、環状リング形状のクリップは、第２のコネクタハウジング内に設けられ、そのリングの内径から突出する多数の角度を有して突出するフィンガーを有する。これらのフィンガーは、角度を有して、フィンガーを介してハウジングに対する、端末部及び導管の挿入を容易にすることができる。しかしながら、そのハウジングから端末部を分離する方向と逆の動きは、それらのフィンガーが端末部の外壁に突き立てるとともに、第２コネクタハウジングにおける端末部を保持する引出し力に対する抵抗を与える。
【０００６】
このような端末部において、その保持クリップは、その保持クリップが第２コネクタ穴に挿入された後に、第２コネクタハウジングの開口端に挿入される軸方向に挿入可能な保持具のような保持具によって、そのハウジング内に保持される。
【０００７】
しかしながら、その保持クリップがコネクタハウジング内にフランジレスの端末部、又は細管を固定する手段を提供する一方で、それらはコネクタ組立の組立時間を増やす別異のメンバーを必然的に提供することになる。
【０００８】
さらに重要なことには、保持クリップの角度を有する前記フィンガーは、端末部がコネクタハウジング内に挿入されている間、その端末部の外表面に対して突き立て、かつ、こすりとる。このことは、迅速コネクタを介する腐食、結果として起こる破壊、又は漏洩をもたらすことになる、金属細管に通常見られる保護コーティングを除去する可能性がある。
【発明の開示】
【発明が解決しようとする課題】
【０００９】
このように、フランジレス端末部のための迅速コネクタに使用されるこれまでに案出された保持装置の問題を解決する迅速コネクタ保持装置を提供することが望まれる。また、現存する迅速コネクタの設計の過度の変更を要求しないフランジレス端末部のための迅速コネクタ保持装置を提供することも望まれる。さらに、そのコネクタハウジングへの挿入の間、端末部に対する損傷を最小にする迅速コネクタ保持装置を提供することも望まれる。また、迅速コネクタ組立において求められる別異の構成部品の数量を減少する迅速コネクタ保持装置を提供することも望まれる。さらに迅速コネクタハウジングにおける最終配置に対する迅速コネクタ保持具の移動時にのみ動作する迅速コネクタ保持装置を提供することが望まれる。
【課題を解決するための手段】
【００１０】
この発明の種々の特徴、利点及び他の効用は、以下の詳細な説明及び図に関連してより明らかになる。
【００１１】
この発明は、フランジレス端末部をコネクタハウジングに固定するための保持クリップを有する流体迅速コネクタである。
【００１２】
一態様において、この流体迅速コネクタは、対向する第１及び第２端の間に延在する貫通穴を有するハウジングを備え、その端末部は、そのハウジングの第１端を通してその穴に挿入可能である。そのハウジングの第２端は、流体適用要素に取り付け可能である。
【００１３】
前記保持クリップは、少なくとも１つの半径方向に延び、端末部に係合するようにされて、ハウジング穴への端末部の挿入方向とは反対の端末部の移動を妨げる突起を有する。
【００１４】
保持具は、前記ハウジングに組み込むことができる。前記保持クリップは、ハウジングの穴に対する端末部の挿入通路から離間した第１位置と、端末部と係合する第２の位置への保持具の移動を伴う第２位置との間の移動のための保持具に具備されている。
【００１５】
一形態において、その保持クリップは、保持具に一体的に具備されている。その保持クリップは、保持具に固定される第１部分を有し、そのハウジングにおける穴に対する第１部分からの、片持ちされた少なくとも１つの突起とを有する。
【００１６】
他の態様において、前記保持クリップは、保持具に固定的に結合されている。
【００１７】
この態様において、その保持クリップは、保持具にインサートモールドされて、保持具が第２の設置位置にあるときは、ハウジングにおける穴に対して保持具から少なくとも１つの突起が延びる。
【００１８】
その保持クリップは、保持具に固定された第１端を有する平板体を具備し、少なくとも１つの突起がその第１端から延びる。この保持具の端部は、ハウジング穴を横断して延在する。
【００１９】
他の態様において、前記保持クリップは、保持体の端部から垂下がる少なくとも第１の脚を有する。
【００２０】
１態様おいて、前記保持クリップは、以下のものを有する：
保持具に固定された少なくとも１つの端部、
その端部から延びる１対の脚、
及び、端部と脚との少なくとも一方に形成された突起。
【００２１】
その少なくとも１つの突起は、少なくとも１つの側脚に具備されている。
【００２２】
好ましくは少なくとも１つの突起は、複数の突起からなり、これらの複数の突起の少なくとも１つは、各端及び各脚に具備されている。
【００２３】
反対に、少なくとも１つの突起は、複数の突起を有し、この複数の突起の少なくとも１つは、前記保持クリップの各端及び各脚に具備されている。
【００２４】
前記突起の内方端は、端末部の外径よりも小さい径に配置されている。
【発明の効果】
【００２５】
１態様において、前記保持クリップの突起は、内方端を有する。前記保持具は、その突起の内方端と端末部との間に実質的に接触することなく、ハウジング内における穴に端末部の挿入ができるような一時的な設定位置にハウジング内に設置することができる。
【００２６】
他の態様において、少なくとも１つの突起は、端末部に関して所定の、直角でない角度に配置された内方端を有する。好ましくは、この少なくとも１つの突起の内方端はハウジングの前記第２端に向かって曲げられている。
【００２７】
この発明の流体迅速コネクタは、ハウジングへの端末部の挿入の間に保持具に具備された保持クリップと端末部との間の係合を妨げるのと同時にその間に、横方向に移動可能な保持具とフランジレス端末部とを有するコネクタ体の間の具合のよい、かつ、簡単な接続を提供する。このことは、端末部が迅速コネクタハウジングに挿入されている間に、保持クリップと端末部との鋭いエッジの間の係合を防止することによって端末部の外表面に加えられる可能性のある保護コーティングに対して起こり得る損傷を最小化する。しかしながら、保持クリップのロックフィンガーは、コネクタハウジングにおける充分なロック位置内への保持具の横方向への移動の間に、端末部との係合に向かって移動可能である。ロックフィンガーの角度を有する端部は、端末部の軸方向に向かう分離を防止する。
【００２８】
この発明の保持クリップ及び保持具の形状は、結合するハウジングにおける端末部の全ての必要なシールされたロッキングを提供している間に、環状のビード又はフランジを有する端末部とともに用いるようにした保持具と迅速コネクタハウジングとを、フランジレス端末部とともに独自に用いることができるものである。
【発明を実施するための最良の形態】
【００２９】
この発明の使用及び動作を明確に理解するために、参照は、先ず、それぞれ流体迅速コネクタ１６の第１及び第２構成部品１２及び１４をしっかりと結合する保持具１０を示す図１〜５でなければならない。
【００３０】
第１のコネクタの構成部品又は要素１２の以下の記述は、その第１のコネクタの構成部品１２が、迅速コネクタに一般的に見られる適切な形状を有することができるので、単に一例としてある。
【００３１】
さらに、第１の構成部品１２に対して管状部材のような第２の構成部品１４を接続する流体迅速コネクタの使用についての以下の記述は、流体流の連通において相互に導管、ホース、及び又は、鋼管又はプラスチック細管の接続に適用すると理解されよう。迅速コネクタの一端の内部に挿入される導管又は管状部材の一端は、端末部として明瞭に示される。この端末部は、一端で別のホース又は細管を受入れる別の部材であり、又は、延長された金属又はプラスチック細管の端部に一体に形成された形状であり得る。さらに、その端末部は、延長された導管の部分としてよりもむしろ、ポンプ、フィルタ等のような流体使用装置に対して別の部材として、一体に形成されるか、又は組立てられ得る。
【００３２】
この迅速コネクタは、管状部材自身又は管状部材の導体層又は導体部を介して連続する導電路を明確に示すことができる導管、細管又はホースのような管状部材との有利な使用を見出す。例えば、導電層は、米国特許第5,524,673、及び第5,734,304号に開示されているように多層管内に備えられている。この発明の迅速コネクタから、車両用流体のような高速流体による燃料システム内に発生し得る静電荷を散逸するための遠隔の電気的接地への電気導体路を有するこれらの導電層について言及がなされている。
【００３３】
第１の構成部品１２は、図５に詳細に示されるように、大径の第１開口端２４から小径の第２開口端２６まで延在して、引き延ばされ、軸方向に延びる、内部に階段状の穴２２を有するハウジング２０を具備する。この階段状穴２２は、ハウジング２０の第１端２４における開口から第２の小径の第２階段状穴部２３まで延在する第１穴部２１を有する。第３のさらに小径の階段状の穴部２５は、第２の階段状穴部２３の一端から軸方向に延びて、なお、さらに小径の第４の、ハウジング２０の開口第２端２６に延びる階段状穴部２７に連通する。
【００３４】
通常のように、シルクハット又はベアリング３４は、第１の穴部２１の端にごく近接して第２の階段状穴部２３内に設けられる。シール手段３０は、またシルクハット３４の一端と前記第３の階段状穴部２５との間の第２の階段状穴部２３内に設けられる。
【００３５】
前記第１の階段状穴部２１の内径は、第２構成部品又は適合部品１４に形成された半径方向に拡大したフランジ又は反転ビード１８の外径を摺動可能に受けるように寸法採りされる。さらに、シール手段３０及びシルクハット３４の内径は、半径方向に拡大されたフランジ１８から第２の構成部品１４の先端１３まで延在する第２の構成部品１４の端部の外径と密封シールして係合するように寸法採りされる。第３の階段状穴部２５は、第２の構成部品１４が、後述するように階段状穴２２内に充分に挿入されたときに、第２構成部品１４の端部１１の外径とぴったりと係合する寸法の内径を有する。シール手段３０は、例えば、堅固な管状スペーサ３３によって分離されている少なくとも１つの、好ましくは２つのオーリング３１で形成される。
【００３６】
図１、３及び４に示されるように、ハウジング２０の第１端２４は、１対の対向する平坦な外表面４０及び４２で形成される。平坦表面４０及び４２は、第１端２４で正反対に対向し、第１端２４の各正反対側において中央に配置される。平坦表面４０及び４２の一側に対するハウジング２０の近接表面は、第１平坦面４３及び第２平坦面４４のような対向する１対のロック表面又は平坦面を形成する。平坦面４５及び４６の第２の対は、ハウジング２０又は平坦表面４０及び４２の反対側に形成される。平坦面４３及び４４は、ハウジング２０の第１端２４から軸方向に短い距離延長している。平坦面４３及び４４と平坦面４５及び４６との間のハウジング２０の第１端２４の対向表面４８及び５０は、図３及び４に示されるように、通常に弧状の形状を有する。孔４９及び５１は、それぞれ各表面４８及び５０に形成される。この孔４９及び５１は、整列してハウジング２０における第１穴部２１と連通して配置されるハウジング２０の第１端２４を通して延びる横断穴を形成する。
【００３７】
後述する保持具１０は、側部のロッキング突起を有する他の半径方向に移動可能な保持具の設計もこの発明の解除ツールを使用するので、単に一例の積もりである。
【００３８】
保持具１０は、例えば、熱可塑性樹脂のような適切な樹脂からなる一体の本体から形成され、単に一例の積もりで、通常に曲った又は弧状の形状に形成された端壁６２と、第１及び第２の離間した側脚６４及び６６とを有する。側脚６４及び６６は、端壁６２の対向端から相互にほぼ平行に延びている。さらに、側脚６４及び６６を弧状の部材によって下方部で接続することも可能であるけれども、各側脚６４及び６６は、外端７２を有する。
【００３９】
１対の突起７０は、それぞれ各側脚６４及び６６の対向する側縁間に保持具１０の長さに沿って延びている。それらの突起７０は、各脚６４及び６６の外端７２に近接して配置されている。突起７０は、ハウジング２０の表面を係合して、保持具１０を、図３に示されるように、積込みポジションに位置するか、又は、図４、５又は６に示されるように完全に挿入された係合ポジションに位置する。
【００４０】
さらに、１対の外方に延びるロックタブ又はエッジ７４は、各側脚６４及び６６の端壁６２に近接して形成される。
【００４１】
図１−５に示すように、保持具１０は、好ましくは保持具１０の一体の単一部分として設けられる管状部材受入れ手段８０を有する。受入れ手段８０は、保持具１０の端壁６２の内表面に一体に形成されるボス又は拡大部８６から延びる第１及び第２の垂下腕８２及び８４を有する。逆Ｕ字形のスロット８８は、腕８２及び８４と、第２の構成部品１４の管状端部１１の外径にぴったりと一致するように寸法採りされるボス８６の内表面に形成される。腕８２及び８４のそれぞれの外端９１は角度を有し、又は傾斜して、第２の構成部品１４の管状端１１を超えて腕８２及び８４の摺動を援助する案内表面として機能する。
【００４２】
図１及び２に示すように、各腕８２及び８４は、保持具１０の第１側縁９０と連続している一側縁から、保持具１０の第２側縁と連続している反対側縁まで延びている。
【００４３】
図１、２、３及び４に示されるように、保持具１０の脚６４及び６６の突起７０は、先端９５に終端する角度をもった鉤状の形状を形成される。その先端９５は、対応する脚６４及び６６に関して、鋭角な、上に向いた角度で配置される。
【００４４】
同様に、図３及び４に示されるように、溝４０´及び４２´は、それぞれ平坦表面４０及び４２の内側に形成され、保持具１０の各脚６４及び６６の突起７０の先端９５の形状に対して余角に形づくられる一端に、凹所又はノッチ９６を有する。このように、ハウジング２０からの保持具１０の抜去は、図３における保持具１０の部分的に挿入された、積込みポジションに示されるように、ハウジング２０の溝４０´及び４２´におけるノッチ９６内に収容されている保持具１０の脚６４及び６６のインターロッキング先端９５によって阻止される。平坦面又はロックエッジ４４及び４６は、保持具１０の脚６４及び６６の先端９５の鋭角に対して余角に配置される。このことにより、平坦面４４及び４６を有する先端９５のインターロックが、図４に示されるように完全にラッチされた位置から、ハウジング２０からの保持具１０の抜去を阻止することができる。
【００４５】
ハウジング２０の溝４０´及び４２´とともに、保持具１０の脚６４及び６６における鉤形の先端９５は、又、ハウジング２０の保持具１０の、明確な、「なだれ効果」スナップアクションを提供する。ハウジング２０の溝４０´及び４２´は、ほぼ平面の平坦表面に形成される。これらの内部表面は、保持具１０がハウジング２０に挿入されるときに、脚６４及び６６の端７２を双方に向かって内方に横方向に押込む。先端９５が溝４０´及び４２´の一エッジを通過するときに、脚６４及び６６の弾力性が、その端７２及び先端９５を横方向、外側にスナップして、保持具１０が、図３に示されるように部分的に挿入されたポジション、又は、図４に示されるように完全に挿入されたポジションのいずれかにハウジング２０をロッキングして係合していることを示す、使用者に対する明確な接触の反応を供与する「なだれ効果」を創り出すものである。
【００４６】
注目されるべきは、保持具１０を図３に示されるように部分的に挿入されたポジションから、図４に示されるように完全に挿入されたポジションに移動する保持具１０におけるさらなる挿入力は、再度、脚６４の端７２が、脚６４及び６６の先端９５が内部表面の低部に沿って摺動するときに、横方向に内方に付勢させる。先端９５が内部表面の外方端を通過するときに、脚６４及び６６は、明確な「なだれ効果」の方法で横方向、外方に弾発する。溝４０´及び４２´の下方端は、角度を有して、先端９５を溝４０´及び４２´から完全にラッチされた位置に摺動することができる。
【００４７】
保持具１０は、図３に示されるように、第１に、ハウジング２０において積込み、又は留置ポジションに設置される。このポジションで、保持具１０の側脚６４及び６６の突起７０は、長手方向に延在する溝４０´及び４２´にスナップ留めされ、係合される。
【００４８】
ハウジング２０における整列された孔４９及び５１を通しての保持具１０のさらなる挿入は、先端９５がその表面の端を通過してから、図４に示されるようなハウジング２０の第１端２４の外部表面の外方に向かってスナップ留めされるまで、脚６４及び６６の端７２が、平坦表面４０及び４２の内部表面における低部に沿って通過できるようにするものである。第１の構成部品１２における第２の構成部品の充分に挿入されたこのポジションにおいて、開口が保持具１０の腕８２及び８４と第１及び第２穴部２１及び２３間の肩部との間に形成される。このポジションは、第２構成部品１４が第１構成部品１２内に完全に収容されている完全にラッチされたポジションを表わしている。
【００４９】
保持クリップ１００の一態様は、保持具１０とハウジング２０における第１及び第２の穴部２１及び２３間の肩部との間の開口に配置されている。図２及び５に示されるように、保持クリップ１００は、好ましくは金属やプラスチックのような強固な材料からなる堅固な一体的本体１０２で形成される。この本体１０２は、対向する側脚１０６と１０８とが突出する端壁又は部分１０４を有する。少なくとも１つのロックフィンガー、又は突起タブ１１０は、好ましくは本体１０２の一体的部分として、その本体１０２に形成される。一例としてのみ示すが、少なくとも1つのフィンガー１１０は、端１０４の中央部分から側脚１０６及び１０８の中間に延在するように図示されている。選択的に、さらには付加的な保持力のために、ロックフィンガー又はタブ１１２及び１１４が、それぞれ側脚１０６及び１０８の一端に形成される。
【００５０】
全てのロックフィンガー１１０、１１２及び１１４は、側脚１０６及び１０８と端１０４との間に形成された開口１１６内方に向かって半径方向に突出する。ロックフィンガー１１０、１１２及び１１４の半径方向に内部の表面間の開口１１６の内径は、端末部１４の外径よりも僅かに小さい。
【００５１】
図５に示されるように、ロックフィンガー１１４のような各ロックフィンガーは、端１０４の平面と本体１０２の側脚１０６及び１０８とに対してある角度で形成される。この角度は、端末部１４のハウジング２０に対する挿入方向に、又は図５に示されるように迅速コネクタ１６の方向において右から左に、ロックフィンガー１１０、１１２及び１１４を延在する。本体１０２の平面に関して、各ロックフィンガー１１０、１１２及び１１６の角度は、ハウジング２０からの端末部１４の抜去を阻止する端末部１４の保持クリップ１００によって作用する抜去力の量の幾分の拡大を決定する。より大きな角度は、より小さな角度をするよりもより小さい抜去阻止力を供与る。
【００５２】
迅速コネクタ１６に対する保持クリップ１００及び保持具１０の組立を簡単化するために、その保持クリップ１００は、好ましくは保持具１０に設けられ、搭載される。例えば、端１０４及び側脚１０６及び１０８の隣接する部分は、腕８２及び８４の一端面と保持具１０のボス８６とを粘着して接合することができる。
【００５３】
保持具１０における保持クリップ１００の他の設置形状が、図６に示されている。この発明のこの態様は、少なくとも端１０４及び、あるいは側脚１０６及び１０８の隣接する端部分は、ボス８６の端部分におけるような、保持具１０の形成の間に、保持具１０内に挿入モールドされる。このことは、図６に示されるように、それから角度をもって突出するロックフィンガー１１０、１１２及び１１４とともに腕８２及び８４の端表面に沿って、側脚１０６及び１０８を位置する。
【００５４】
図５及び６に示されるような保持クリップ１００を保持具１０に設ける両態様は、同一の方法で動作する。初めは、その保持具１０は、図３に示されるように一時的な留置ポジションに配置される。このポジションでは、側脚１０６及び１０８の端は、ハウジング２０の挿入開口から離間している。それは、端末部１４が、それによって、端末部１４の外部表面を形成する保護コーティングの研削を防止するによって保持クリップ１００におけるロックフィンガー１１０、１１２及び１１４のいかなる著しい接触もなしに、保持クリップ１００を通り越して容易に挿入することができる端末部１４のためである。
【００５５】
端末部１４は、ハウジング２０の穴２２に完全に挿入されているときには、保持具１０は、図４−６に示されるように完全にラッチされたポジションに強制的に付勢される。このポジションでは、ロックフィンガー１１０、１１２及び１１４は、端末部１４の外部表面と係合する。ロックフィンガー１１０、１１２及び１１４の角度を有する配置は、図５及び６に示される方位で右の方向へのハウジング２０からの端末部１４の軸方向の抜去、又は分離を阻止する。
【００５６】
端末部１４をハウジング２０から分離するために、保持具１０は、図３に示される一時的な留置ポジションに移動され、又はハウジング２０から完全に分離される。このことは、端末部１４がロックフィンガー１１０、１１２及び１１４の端縁との係合から何らの損傷もなく分離することができる。
【００５７】
要約すれば、これまで、端末部のハウジングからの好ましくない分離を防止するために、充分な抜去力阻止をもって迅速コネクタハウジング内に端末部を固定するように動作するフランジレスの端末部と解除可能に係合可能な保持クリップを有する保持具を具備する、特異な流体迅速コネクタについて説明してきた。この保持具は、迅速コネクタハウジングにおける、一時的な留置ポジションと、ハウジングにおける、完全に挿入されたロッキングポジションとの間に、移動可能である。保持具の一時的な留置ポジションにおいて、保持クリップは、端末部の迅速コネクタハウジングへの挿入通路から離間している。このことは、保持クリップにおけるロックフィンガーの鋭利なエッジの係合に起因する、端末部における外部の保護コーティングに対する損傷を最小化する。
【００５８】
この保持クリップは、特異に、流体迅速コネクタにおける横方向に移動可能な保持具で、迅速コネクタハウジングのフランジレス端末部をロックして係合するように使用することができる。同時に、この保持クリップは、現存する横方向に設けた保持具と迅速コネクタの設計を変更することを要求することなく、保持具に保持クリップを設置することに適応するものである。
【図面の簡単な説明】
【００５９】
【図１】この発明による第１の態様の保持クリップを有する迅速コネクタの分解斜視図。
【図２】図１に示す保持具の拡大分解斜視図。
【図３】部分的に挿入された留置ポジションを示す保持具を有する、迅速コネクタ及び保持具の端面図。
【図４】雌構成部品における完全に挿入されたポジションを示された保持具を有する、迅速コネクタ及び保持具の端面図。
【図５】図４におけるほぼ５−５線に沿う断面図。
【図６】図５と同様の断面図で、この発明の保持具及び保持クリップの他の態様を示す。
【図１】
2005522658.tif 000003
【図２】
2005522658.tif 000004
【図３】
2005522658.tif 000005
【図４】
2005522658.tif 000006
【図５】
2005522658.tif 000007
【図６】
2005522658.tif 000008
【国際調査報告】
2005522658.tif 000009
2005522658.tif 000010
2005522658.tif 000011
2005522658.tif 000012